(57)【要約】【課題】高圧送電線の作業箇所、又は発変電所の変電機器の作業箇所にそれぞれ異なる識別標識を施すと共に、作業員がそれぞれの異なる識別標識と同じものを身に着けることで、作業員が作業する箇所（停電箇所）を明確に認識させ、充電箇所には近づかないことを作業員に知らせ、感電等の作業の事故を防止する。【解決手段】高圧送電線２の作業の際に、複数の作業箇所（がいし３）を、それぞれ異なる色彩の着色を施し、作業員Ｍは、各色彩と同色の手袋４等をそれぞれ準備し、点検作業、保守作業を行う際に、その停電にした作業箇所（がいし３）に着色した色彩と同色の手袋４を、作業員Ｍが身に着けることにより、作業員Ｍに停電箇所と充電箇所とを容易に識別させる。【選択図】図３
2012120356.tif 000002
【特許請求の範囲】
【請求項１】
高圧送電線・発変電所の変電機器の点検、保守作業をする際に感電等の作業事故を防止するために、停電にした作業箇所に隣接する充電箇所に近づかないことを作業員（Ｍ）に知らせ、作業の誤認を防止する送電作業・変電作業における作業誤認防止方法であって、
複数の作業箇所を、それぞれ異なる色彩に着色を施し、
作業員（Ｍ）は、各色彩と同色の手袋（４）等の身に着けるものをそれぞれ準備し、
点検作業、保守作業を行う際に、その停電にした作業箇所に着色した色彩と同色のものを、作業員（Ｍ）が身に着けることにより、作業員（Ｍ）に停電箇所と充電箇所とを容易に識別させる、ことを特徴とする送電作業・変電作業における作業誤認防止方法。
【請求項２】
高圧送電線（２）の作業の際に、鉄塔（１）に複数備えられたがいし（３）をそれぞれ異なる色彩に着色し、
作業員（Ｍ）は、作業するために停電にした高圧送電線（２）を固定しているがいし（３）と同色のものを身に着けて保守・点検作業をする、ことを特徴とする請求項１の送電作業・変電作業における作業誤認防止方法。
【請求項３】
高圧送電線の作業の際に、鉄塔（１）に複数個所備えられた腕金（５）をそれぞれ異なる色彩に着色し、
作業員（Ｍ）は、作業するために停電にした高圧送電線（２）を固定している腕金（５）と同色のものを身に着けて保守・点検作業をする、ことを特徴とする請求項１の送電作業・変電作業における作業誤認防止方法。
【請求項４】
高圧送電線の作業の際に、鉄塔（１）に複数個所備えられたジャンパー線（６）をそれぞれ異なる色彩に着色し、
作業員（Ｍ）は、作業するために停電にした高圧送電線（２）に接続されたジャンパー線（６）と同色のものを身に着けて保守・点検作業をする、ことを特徴とする請求項１の送電作業・変電作業における作業誤認防止方法。
【請求項５】
変電機器の作業の際に、断路器（２１）に複数個所備えられたがいし柱（２２）をそれぞれ異なる色彩に着色し、
作業員（Ｍ）は、作業するために停電にしたスイッチ（２３）を支持しているがいし柱（２２）と同色のものを身に着けて保守・点検作業をする、ことを特徴とする請求項１の送電作業・変電作業における作業誤認防止方法。
【請求項６】
変電機器の作業の際に、断路器（２１）に複数個所備えられたスイッチ（２３）をそれぞれ異なる色彩に着色し、
作業員（Ｍ）は、作業するために停電にしたスイッチ（２３）と同色のものを身に着けて保守・点検作業をする、ことを特徴とする請求項１の送電作業・変電作業における作業誤認防止方法。
【請求項７】
高圧送電線・発変電所の変電機器の点検、保守作業をする際に感電等の作業事故を防止するために、停電にした作業箇所に隣接する充電箇所に近づかないことを作業員に知らせる送電作業・変電作業における作業誤認防止方法であって、
複数の作業箇所に、それぞれ異なる模様を施し、
作業員は、各模様と同じ模様が施された手袋等の作業員が身に着けるものをそれぞれ準備し、
点検作業、保守作業を行う際に、その作業箇所に施された模様と同じのものを、作業員が身に着けることにより、作業員に停電箇所と充電箇所とを容易に識別させる、ことを特徴とする送電作業・変電作業における作業誤認防止方法。
【請求項８】
高圧送電線・発変電所の変電機器の点検、保守作業をする際に感電等の作業事故を防止するために、停電にした作業箇所に隣接する充電箇所に近づかないことを作業員に知らせる送電作業・変電作業における作業誤認防止方法であって、
複数の作業箇所に、それぞれ異なる凹凸面を施し、
作業員は、前記凹凸面と同様の凹凸面を形成した手袋等の作業員が身に着けるものをそれぞれ準備し、
点検作業、保守作業を行う際に、作業箇所に形成した凹凸面と同形状の凹凸面を有するものを、作業員が身に着けることにより、作業員に停電箇所と充電箇所とを容易に識別させる、ことを特徴とする送電作業・変電作業における作業誤認防止方法。
【発明の詳細な説明】
【技術分野】
【０００１】
本発明は、高圧送電線の作業又は発変電所の変電機器の点検、保守を行う際に、充電箇所に近づかないよう作業員に知らせ感電等の作業事故を防止する送電作業・変電作業における作業誤認防止方法に関する。
【背景技術】
【０００２】
送電作業では、隣接設備のうち一部のみが作業対象となることが多い。送電線の両回線を停電することは、供給信頼度確保の面で難しい。そこで、作業範囲の誤認を防止するために、危険区画標示や複数人による確認・指差呼称を実施している。例えば、危険区画標示としては、高圧電流の送電線鉄塔において、送電線の一部を停電して作業を行なう際に、作業を安全に行なうために活線側アームに危険旗、立入禁止旗又は安全旗と称される旗を取り付けている。この危険旗等は、鉄塔又は鉄構上での停止作業時に充電箇所や危険個所に近づかないことを作業員に知らせる標識である。
【０００３】
このような高圧送電線の作業に際して充電箇所等に近づかないように安全に作業をするための技術に関しては種々提案されている。例えば特許文献１の実開平６−２９３２０号公報「赤旗付き隔離棒」に示すように、危険表示等の赤旗を取り付け保持し金具取付具によって隔離棒取付固定金具を取り付けた短隔離棒と、危険表示等の赤旗を取り付け保持し金具取付具によって隔離棒引っ掛け金具と引っ掛け金具の滑落を防ぐために送電線鉄塔のアーム吊り或いは送電線鉄塔本体の構造材に締結止めするための安全紐を取り付けた長隔離棒と、長短二本の隔離棒を繋いだ赤旗取付リングによって赤旗を保持した伸縮性紐とで構成される赤旗付き隔離棒が提案されている。
【０００４】
また、発変電所の変電機器の点検、保守を行う際にも、隣接設備のうち一部のみが作業対象となることが多い。変電所全体の両回線を停電することは，供給信頼度確保の面で難しい。そこで、変電所構内や変電機器に相標示（赤・白・青）や回線名が記載されている。例えば、断路器ではがいし柱又はスイッチ自体に危険区画標示として着色が施されている。
【先行技術文献】
【特許文献】
【０００５】
【特許文献１】実開平６−２９３２０号公報
【発明の概要】
【発明が解決しようとする課題】
【０００６】
しかし、送電作業のように高所作業の際に、鉄塔に昇っている作業員が充電箇所と停電箇所を誤認したときに、他の作業員が鉄塔の下から大声で注意を呼びかけても聞こえにくい。雨・風が強い場合は、注意する声が聞こえないことが多い。作業員の身は作業員自らが守る必要がある。送電線の作業の場合は、充電箇所に近づくと、感電事故により転落事故にもなりやすいという問題を有していた。特に、送電設備の送電作業の場合、昇塔前の確認から到着と作業開始まで時間がかかり、途中で誤認するおそれが高い。
【０００７】
なお、特許文献１の赤「赤旗付き隔離棒」では、２枚の赤旗を伸縮性紐で繋いだ構造であるため、１本目の赤旗を鉄塔のアームに取り付け、次に２本目の赤旗をアームの反対側に移動して取り付ける作業が煩雑であるという問題は有していた。
【０００８】
また、発変電所の変電機器の作業に際しては、停電範囲を最小限にしなければならない
ため、作業範囲の近傍に充電箇所が存在する場合もあり、作業員が作業範囲を誤認しやすい。そこで、充電箇所に近づき、感電する事故が多い。構内標示は、母線等のかなり高い部分に標示されており、変電機器の目線に標示されているため、作業時の作業員の視界に入りづらいという問題を有していた。これは変電機器の目線にある標示は、作業中は足元になるからである。最悪の場合，死亡事故のおそれがある。
【０００９】
本発明は、かかる問題点を解決するために創案されたものである。すなわち、本発明の目的は、高圧送電線の作業箇所、又は発変電所の変電機器の作業箇所にそれぞれ異なる識別標識を施すと共に、作業員がそれぞれの異なる識別標識と同じものを身に着けることで、作業員が作業する箇所（停電箇所）を明確に認識させ、充電箇所には近づかないことを作業員に知らせ、感電等の作業の事故を防止できる送電作業・変電作業における作業誤認防止方法を提供することにある。
【課題を解決するための手段】
【００１０】
本発明は、高圧送電線・発変電所の変電機器の点検、保守作業をする際に感電等の作業事故を防止するために、停電にした作業箇所に隣接する充電箇所に近づかないことを作業員（Ｍ）に知らせ、作業の誤認を防止する送電作業・変電作業における作業誤認防止方法であって、複数の作業箇所を、それぞれ異なる色彩に着色を施し、作業員（Ｍ）は、各色彩と同色の手袋（４）等の身に着けるものをそれぞれ準備し、点検作業、保守作業を行う際に、その停電にした作業箇所に着色した色彩と同色のものを、作業員（Ｍ）が身に着けることにより、作業員（Ｍ）に停電箇所と充電箇所とを容易に識別させる、ことを特徴とする。
【００１１】
例えば、高圧送電線（２）の作業の際に、鉄塔（１）に複数備えられたがいし（３）をそれぞれ異なる色彩に着色し、作業員（Ｍ）は、作業するために停電にした高圧送電線（２）を固定しているがいし（３）と同色のものを身に着けて保守・点検作業をすることができる。
【００１２】
高圧送電線の作業の際に、鉄塔（１）に複数個所備えられた腕金（５）をそれぞれ異なる色彩に着色し、作業員（Ｍ）は、作業するために停電にした高圧送電線（２）を固定している腕金（５）と同色のものを身に着けて保守・点検作業をすることができる。
【００１３】
高圧送電線の作業の際に、鉄塔（１）に複数個所備えられたジャンパー線（６）をそれぞれ異なる色彩に着色し、作業員（Ｍ）は、作業するために停電にした高圧送電線（２）に接続されたジャンパー線（６）と同色のものを身に着けて保守・点検作業をすることができる。
【００１４】
変電機器の作業の際に、断路器（２１）に複数個所備えられたがいし柱（２２）をそれぞれ異なる色彩に着色し、作業員（Ｍ）は、作業するために停電にしたスイッチ（２３）を支持しているがいし柱（２２）と同色のものを身に着けて保守・点検作業をすることができる。
【００１５】
変電機器の作業の際に、断路器（２１）に複数個所備えられたスイッチ（２３）をそれぞれ異なる色彩に着色し、作業員（Ｍ）は、作業するために停電にしたスイッチ（２３）と同色のものを身に着けて保守・点検作業をすることができる。
【００１６】
更に、高圧送電線・発変電所の変電機器の点検、保守作業をする際に感電等の作業事故を防止するために、停電にした作業箇所に隣接する充電箇所に近づかないことを作業員に知らせる送電作業・変電作業における作業誤認防止方法であって、複数の作業箇所に、それぞれ異なる模様を施し、作業員は、各模様と同じ模様が施された手袋等の作業員が身に
着けるものをそれぞれ準備し、点検作業、保守作業を行う際に、その作業箇所に施された模様と同じのものを、作業員が身に着けることにより、作業員に停電箇所と充電箇所とを容易に識別させる方法もある。
【００１７】
また高圧送電線・発変電所の変電機器の点検、保守作業をする際に感電等の作業事故を防止するために、停電にした作業箇所に隣接する充電箇所に近づかないことを作業員に知らせる送電作業・変電作業における作業誤認防止方法であって、複数の作業箇所に、それぞれ異なる凹凸面を施し、作業員は、前記凹凸面と同様の凹凸面を形成した手袋等の作業員が身に着けるものをそれぞれ準備し、点検作業、保守作業を行う際に、作業箇所に形成した凹凸面と同形状の凹凸面を有するものを、作業員が身に着けることにより、作業員に停電箇所と充電箇所とを容易に識別させる方法もある。
【発明の効果】
【００１８】
上記発明では、複数の作業箇所に、それぞれ異なる色彩の着色を施したので、作業する際に、停電部の作業箇所に着色した色彩と同色の手袋等を作業員（Ｍ）が身に着けることにより、作業員（Ｍ）に停電箇所と充電箇所を容易に認識させることができる。そこで、作業員（Ｍ）は、作業箇所に隣接する充電箇所に近づくことなく、安全に送電作業・変電作業を実施することができる。
【００１９】
また、高圧送電線（２）、変電機器の保守点検が終了したら、他の高圧送電線（２）、変電機器の他の作業箇所に変わるときは、すなわち停電部の作業箇所の着色した色彩と同じ手袋等の身に着けるものを取替えるだけで完了する。作業箇所を誤認することを防止することができる。
【００２０】
特に、高圧送電線（２）の作業では、鉄塔（１）のがいし（３）、腕金（５）又はジャンパー線（６）のように、作業中常に作業員（Ｍ）の目線にある位置のものが色分けされているので、作業員（Ｍ）が身に着けているものと照合しやすい。そこで、確実にその箇所が停電箇所（作業箇所）か危険な充電箇所かの区別をすることができる。作業員が作業箇所を誤認することを防止することができる。
【００２１】
同じく、発変電機器の作業でも、がいし柱（２２）又はスイッチ（２３）のように、作業中常に作業員（Ｍ）の目線にある位置のものが色分けされているので、作業員（Ｍ）が身に着けているものと照合しやすい。
【００２２】
なお、作業箇所は「色彩」による色分けだけでなく、「模様」による識別標識又は「凹凸面」による識別標識を採用することも可能である。色弱、色盲のような色彩の感知力が低い作業員（Ｍ）も容易に識別できる。更に、同じ形状のバッチやシールなどを用いて、作業箇所と手袋等に貼り付けることにより、誤認防止することも可能である。
【００２３】
このように安価な設備対応・投資で、送電作業・変電作業におけるヒューマンエラーを防止できる。
【図面の簡単な説明】
【００２４】
【図１】実施例１の送電作業における作業誤認防止方法を実施する鉄塔を示す正面図である。
【図２】充電箇所（活線）と停電箇所を表した鉄塔を示す平断面図である。
【図３】実施例１の作業誤認防止方法を実施する鉄塔と作業員を示す概略説明図と、がいしの色と作業員の手袋の色の組み合わせを示す。
【図４】本発明の作業誤認防止方法の概略を示す模式図である。
【図５】実施例１の送電作業における作業誤認防止方法の変形例を示す正面図である。
【図６】実施例１の送電作業における作業誤認防止方法の他の変形例を示す正面図である。
【図７】実施例２の発変電所の変電機器における作業誤認防止方法を実施する断路器を示す斜視図である。
【図８】実施例２の作業誤認防止方法を説明する概略説明図である。
【発明を実施するための形態】
【００２５】
本発明は、高圧送電線・発変電所の変電機器の点検、保守作業をする際に感電等の作業事故を防止するために、着色を施した作業箇所と同色の手袋等を身に着けて作業を始めることにより、停電にした作業箇所に隣接する充電箇所に近づかないことを作業員に知らせる作業誤認防止方法である。
【実施例１】
【００２６】
以下、本発明の実施の形態を図面を参照して説明する。
【００２７】
図１は本発明の実施例１の送電作業における作業誤認防止方法を実施する鉄塔を示す正面図である。図２は充電箇所（活線）と停電箇所を表した鉄塔を示す平断面図である。図３は実施例１の作業誤認防止方法を実施する鉄塔と作業員を示す概略説明図と、がいしの色と作業員の手袋の色の組み合わせを示す。
【００２８】
実施例１の作業誤認防止方法は、鉄塔１において高圧送電線２の点検、保守作業をする送電作業における誤認を防止する方法である。先ず、複数の高圧送電線２の作業箇所、例えば鉄塔１に複数備えられたがいし３をそれぞれ異なる色彩に着色する。
【００２９】
一方、この鉄塔１上において作業員Ｍが作業を行う際に、図３に示すようにその作業箇所に着色した色彩と同色の例えば手袋４をそれぞれ準備する。高圧送電線２の点検、保守作業をする際に、作業員Ｍは停電箇所即ち作業箇所と同色の手袋４を身に着ける。その手袋等の身に着けているものと同じ色の作業箇所は、安全に作業ができること、即ち作業員Ｍに停電箇所と充電箇所とを容易に識別させる。手袋４の他に、身に着けるものであれば、上着、腕輪等のその他のものにも着色したものを使用することができる。作業に際して視覚に入りやすい位置に着けられるものが好ましい。
【００３０】
図３に示すように、数字付きの円形部は、がいし３を意味し、各番号により色彩を特定している。なお、図面上「１」の赤相以外に、図面上「２」は白相、図面上「３」は青相、図面上「４」は緑相、図面上「５」は黒相、図面上「６」は黄相を表している。赤相（図面上「１」と表示）のがいし３は赤色に着色し、赤相を作業する場合の作業員Ｍは赤色の手袋４を着用する。作業員Ｍが、赤相で作業しようとした場合、作業中、がいし３と手袋４の色が同色であるため正しい作業対象（停電箇所）であることが分かる。作業員Ｍが仮に誤って危険箇所（充電箇所）の緑相「４」を作業しようとした場合、手袋４とがいし３の色が異なるため作業対象ではないことが分かる。なお、高圧送電線２について点検、保守作業をする際には、図１、図３に示すように、鉄塔１の片側の片回線を全部停電させている。図示例では右側の３相すべてを停電させ、その中で１相のみを作業箇所にしている状態を説明している。
【００３１】
勿論この６色に限定されない。その鉄塔１の送電線２の本数に応じて色数が増減する。また、１Ｌ・２Ｌの誤認防止だけがニーズであれば，２色にしても良い。
【００３２】
また、がいし３の着色は、図示例ではがいし３の一部、例えば腕金５側に施せば十分である。勿論、がいし３全体に着色したものでもよい。
【００３３】
送電設備の場合、図３では、１Ｌ・２Ｌで色を替え、延べ６色にしたものを示している。作業員Ｍは、鉄塔１に昇塔し始めると、安全帯を着けることや，工具を落下させないことに集中する。そのために、作業対象回線を誤認することが多い。本発明のように色で区別できるので、保守作業をする際に感電等の作業事故を防止するために、停電にした作業箇所に隣接する充電箇所に近づかないことを作業員に知らせることができる。
【００３４】
図４は本発明の作業誤認防止方法の概略を示す模式図である。
【００３５】
本発明の作業誤認防止方法は、この図４の模式図に示すように、先ず、作業員Ｍは、高圧送電線２・変電機器の作業をする手元である手袋４を見る。次に、作業員Ｍは、作業する作業箇所と、その前方又は近傍に位置する着色されたがいし３等を見る。このとき、作業箇所と着色されたがいし３が略一直線上にあるので、作業開始前にこれからの送電作業又は変電作業が該当するものか、該当しないものかの区別を容易に識別することができる。そこで、作業員Ｍは確実にその箇所が停電箇所（作業箇所）か危険な充電箇所かの区別をすることができる。
【００３６】
逆に、高圧送電線２・作業箇所と、がいし３を確認した後に、手元の手袋４を見て確認する順番でも勿論よい。
【００３７】
図５は実施例１の送電作業における作業誤認防止方法の変形例を示す正面図である。
【００３８】
実施例１の変形例は、がいし３に着色する方法に代えて、がいし３を支える腕金５の一部に着色した。このように、腕金５に着色する方法でも、作業員Ｍは、作業するために停電にした高圧送電線２を固定している腕金５と同色のものを身に着けて保守・点検作業をする。その作業箇所が停電箇所であることを確認して安全に送電作業を実施することができる。
【００３９】
腕金５の着色は、腕金５自体を塗料で塗装したもの、または着色されたフィルム状のものを巻き付け、あるいは接着したものでもよい。腕金５の着色は、図示例では腕金５の一部、特に腕金５の先端側に施せば十分である。勿論、腕金５の全体に着色したものでもよい。
【００４０】
図６は実施例１の送電作業における作業誤認防止方法の他の変形例を示す正面図である。
【００４１】
実施例１の更に別の変形例は、がいし３、腕金５に着色する方法に代えて、ジャンパー線６に着色した。このように、ジャンパー線６に着色する方法でも、作業員Ｍは、作業するために停電にした高圧送電線２に接続されたジャンパー線６と同色のものを身に着けて保守・点検作業し、その作業箇所が停電箇所であることを確認して安全に送電作業を実施することができる。
【００４２】
ジャンパー線６の着色は、図示例ではジャンパー線６の全体に施したものを示しているが、ジャンパー線６の一部に施したものでもよい。
【実施例２】
【００４３】
図７は本発明の実施例２の発変電所の変電機器における作業誤認防止方法を実施する断路器を示す斜視図である。図８は実施例２の作業誤認防止方法を説明する概略説明図である。
【００４４】
実施例２の作業誤認防止方法は、断路器２１のような発変電所の変電機器の点検、保守作業をする際の作業誤認を防止する方法である。例えば、断路器２１に複数個所備えられた、がいし柱２２をそれぞれ異なる色彩に着色する。作業員Ｍは、作業するために停電にしたスイッチ２３を支持している、がいし柱２２と同色のものを身に着けて保守・点検作業をする。なお、図面上「７」は赤相を、図面上「８」は白相、図面上「９」は青相をそれぞれ表している。
【００４５】
実施例２の変形例は、がいし柱２２に着色する方法に代えて、断路器２１に複数個所備えられたスイッチ２３に着色する。このように、スイッチ２３に着色する方法でも、作業員は、作業するために停電にしたスイッチ２３と同色のものを身に着けて保守・点検作業をする。
【００４６】
本発明では停電部の作業箇所と、充電部の危険な箇所との識別に、作業箇所と同じ属性の持ち物、身に着けるものが同一であるかどうかで判断している。上述したようにその一例として「色彩」を識別標識として採用した。しかし、色弱、色盲のような色彩の感知力が低い作業員もいる。そこで、作業箇所は「色彩」による識別に代えて、「模様」により識別することも可能である（図示していない）。模様は、がいし３、腕金５、ジャンパー線６、がいし柱２２又はスイッチ２３自体を塗料で塗装したもの、または模様が描画されたフィルム状の部材を巻き付け、あるいは接着したものなどがある。
【００４７】
複数の作業箇所に異なる模様を施し、作業員Ｍは、各模様と同じ模様が施された手袋４等の作業員Ｍが身に着けるものをそれぞれ準備し、点検作業、保守作業を行う際に、その作業箇所に施された模様と同じのものを、作業員Ｍが身に着けることにより、作業員Ｍに停電箇所を容易に識別させることができる。
【００４８】
同様に、複数の作業箇所に異なる「凹凸面」を施し、これにより識別することも可能である（図示していない）。凹凸面は、がいし３、腕金５、ジャンパー線６、がいし柱２２又はスイッチ２３自体を直接形成したもの、または凹凸面を有するフィルム状の部材を巻き付け、あるいは接着したものでもよい。
【００４９】
複数の作業箇所に異なる凹凸面を施し、作業員Ｍは、凹凸面と同様の凹凸面を形成した手袋４等の身に着けるものをそれぞれ準備し、点検作業、保守作業を行う際に、作業箇所に形成した凹凸面と同形状の凹凸面を有する手袋等を、作業員Ｍが身に着けることにより、作業員Ｍに停電箇所を容易に識別させることができる。
【００５０】
更に、同じ形状のバッチやシールなどを用いて、作業箇所と手袋等に貼り付けることにより、誤認防止することも可能である。
【００５１】
なお、本発明は、高圧送電線２の作業箇所、又は発変電所の変電機器の作業箇所にそれぞれ異なる色彩、模様、凹凸面等の識別標識を施すと共に、作業員Ｍがそれぞれの異なる識別標識と同じものを身に着けることで、作業員Ｍが作業する箇所（停電箇所）を明確に認識させ、充電箇所には近づかないよう作業員Ｍに知らせ、感電等の作業の事故を防止できれば、上述した発明の実施の形態に限定されず、本発明の要旨を逸脱しない範囲で種々変更できることは勿論である。
【産業上の利用可能性】
【００５２】
本発明の送電作業・変電作業における作業誤認防止方法は、高圧送電線や発変電所の変電機器に限定されず、その他の制御機器なでに利用することができる。
【符号の説明】
【００５３】
１  鉄塔
２  高圧送電線
３  がいし
４  手袋（身に着けるもの）
５  腕金
６  ジャンパー線
２１  断路器
２２  がいし柱
２３  スイッチ
Ｍ  作業員
【図１】
2012120356.tif 000003
【図２】
2012120356.tif 000004
【図３】
2012120356.tif 000005
【図４】
2012120356.tif 000006
【図５】
2012120356.tif 000007
【図６】
2012120356.tif 000008
【図７】
2012120356.tif 000009
【図８】
2012120356.tif 000010
【手続補正書】
【提出日】平成22年12月3日(2010.12.3)
【手続補正１】
【補正対象書類名】図面
【補正対象項目名】図１
【補正方法】変更
【補正の内容】
【図１】
2012120356.tif 000011
【手続補正２】
【補正対象書類名】図面
【補正対象項目名】図３
【補正方法】変更
【補正の内容】
【図３】
2012120356.tif 000012